【事件の表示】
　平成　５年特許願第１３４６８８号「遊技機」拒絶査定不服審判事件〔平成　６年１２月２０日出願公開、特開平　６−３４３７４０〕について、次のとおり審決する。
【結　論】
　本件審判の請求は、成り立たない。
【理　由】
１． 手続きの経緯、本願発明 
　本願は、平成５年６月４日の出願であって、平成１２年５月２４日付で手続補正がなされ、平成１４年７月３１日付で平成１２年５月２４日付の手続補正が却下され、平成１４年１１月１３日付で拒絶理由が通知され、平成１５年１月１７日付で手続補正がなされ、平成１５年４月２８日付で拒絶査定がなされ、平成１５年６月５日付で拒絶査定に対する審判請求がなされ、平成１５年７月４日付で手続補正がなされたものであって、その請求項１に係る発明（以下、本願発明という。）は、平成１５年７月４日付手続補正書の特許請求の範囲の請求項１に記載された次のとおりのものである。
　　　　
「　遊技盤に、可動体を有する可動体付き入賞装置と、大入賞口と、この大入賞口へのパチンコ球の入賞数を表示する表示部と、始動口とが装着された構成であり、
　前記可動体を介して誘導されたパチンコ球が特定の領域を通過した後、前記始動口にパチンコ球が入賞したことを条件にして前記大入賞口が開放される構成のパチンコ機であって、
　前記可動体が正常可動状態か不動状態かを検出する検出手段と、
　前記可動体の不動状態が一定時間以上継続したときに前記可動体が異常状態であると判定する判定手段とを備え、
　前記表示部は、前記判定手段により異常状態であると判定された場合、入賞数表示に優先させて前記可動体が異常状態であることを表示するように構成されていることを特徴とするパチンコ機。」
　　　　　　　　　　　　　
２．引用例
　原査定の拒絶の理由に引用された特開昭６０−１７４１６８号公報（以下「引用例」という）には、図面とともに以下の記載がある。
　　　　　　　　　　　　　　　　　
（記載事項ａ）
「　可動球受部材の状態を変換して打球を受け入れ難いか受け入れない閉状態と、打球を受け入れ易い開状態とに変換可能であつて、開状態において入賞した打球の自重により可動球受部材を開状態から閉状態に変換するようにした変動打球入賞装置を備えたパチンコ機において、
  上記閉動作用打球が入賞したとき該打球の作用を受けて検出器を作動する閉動作球感応部材を変動打球入賞装置に設けるとともに、上記検出器からの信号に基づく状態信号と、予め基準値を設定した基準設定器からの基準信号とにより閉動作用打球の入賞に対応して可動球受部材が開状態から閉状態に変換したかを電気的に判定する適正作動判定部を設け、該適正作動判定部から発信される不適正信号により遊技中断手段を作動して遊技の続行を阻止するようにしたことを特徴とするパチンコ機。」（特許請求の範囲）
　　　　　　　　　　　　　　　　
（記載事項ｂ）
「  パチンコ機１は、第１図に示すように、遊技盤２の表面にガイドレール３で囲まれた遊技部４を有し、該遊技部４内に無数の障害釘（図示せず）、入賞具５…、特別入賞口６、変動打球入賞装置７などを配設してある。またパチンコ機１の前面には供給皿８、受皿９、発射操作部１０などを設けてあり、遊技者が発射操作部１０を操作すると、モータやソレノイド等を駆動源とする打球発射装置１１が始動し、供給皿８から導入した球を一個宛発射することができる。そして発射された打球はガイドレール３を介して遊技部４内に入り、障害釘に当つて弾かれながら流下する。流下する途中で入賞具５…、特別入賞口６、変動打球入賞装置７に入ると入賞球となるが、いずれの入賞口にも入らなかつた場合にはアウト口１２に入つてアウト玉となる。なお打球がいずれかの入賞口に入ると、遊技盤２の裏側に設けてある賞球排出装置（図示せず）が作動し、供給皿８又は受皿９に賞球を排出する。
  変動打球入賞装置７は、第２図乃至第７図で示すように、遊技盤２の表面に取付ける基板１３に横長な球入口１４を開設するとともに、該球入口１４の左右に球通孔１５，１５を開設し、該球通孔１５，１５の前方にランプ表示器１６，１６を有するポケツト枠１７，１７を設けてある。したがつて、遊技部４内を流下してきた打球がポケツト枠１７内に流下すると、該打球は球通孔１５内を通つて基板１３の裏側に排出され、入賞球となる。
  上記した横長な球入口１４の内縁下方には可動球受部材として横長な扉板１８を水平軸１９により回動自在に軸着し、扉板１８の重心を水平軸１９よりも前方に位置させることにより扉板１８が自重で基板１３の前方に傾動するように付勢してある。なお扉板１８の付勢手段はスプリングなどを利用してもよい。
  また基板１３の裏面には、内部を仕切板２０ａ，２０ｂにより区画して球入口１４に連通する一般球通路２１，２１と閉動球通路２２とを形成した枠体２３を設け、該枠体２３には、扉板１８を直立状に保持して球入口を塞ぐ閉状態に維持する直立ロツク機構２４及び扉板１８が前方に傾動して球入口１４を開放する開状態となつたときに打球が閉動球通路２２内に入らない限り扉板１８を閉動しないようにロツクするとともに、閉動球通路２２に入る閉動作用打球の作用を受けて検出器を作動する閉動作球感応部材２５などを設ける。」（第２頁右上欄第７行〜右下欄第１２行）
　　　　　　　　　　　　　　　
（記載事項ｃ）
「  この様に変動打球入賞装置７は、正常な状態においては、特別入賞口６から導いた打球により扉板１８を閉状態から開状態に変換し、閉動球通路２２に流入した閉動作用打球により扉板１８を開状態から閉状態に復元する。そして扉板１８が開状態から閉状態に変換する所要時間は、変換動作が適正であれば、基準時間内に収まる。即ち閉動作用打球が入賞してから扉板１８が閉じるまでの時間、或いはその時間内に発信器から発信される信号数を基準値と比較することにより、扉板１８の状態変換動作の適正、不適正を判別することができる。
  そこで本発明では変動打球入賞装置７に閉動作用打球検出用の検出器を設けるとともに、該検出器からの信号にもとづく状態信号と、予め基準値を設定した基準設定器からの基準信号とにより扉板１８の適正、不適正状態を判定する適正作動判定部を設け、扉板の作動が不適正な場合には適正作動判定部から不適正信号を発生させるようしてある。
  図面で示す検出器の実施例は、発光源４９と受光器５０とから成るフオトカプラ５１を取付基板１３の裏面上方に配置し、閉動作球感応部材２５の上端に形成した遮光部５２を発光源４９と受光器５０との間隙に臨ませてなる。そして、閉動作球感応部材２５が閉動作用打球に押圧されたときのみ遮光部５２が発光源４９の光を遮断するようにフオトカプラ５１と遮光部５２との位置関係を定める。
  即ち、第７図で示すように、扉板１８が球入口１４を塞ぐ閉状態においては、閉動作球感応部２５の下端が扉板１８の裏面に当接して静止し、遮光部５２が発光源４９の光軸から外れてフオトカプラ５１からの検出信号が発生しないように設定する。また第８図で示すように、扉板１８が前方に傾倒する開状態においても、閉動作球感応部５２がウエイト４６の付勢により回動して遮光部５２がフオトカプラ５１から離隔するので、フオトカプラ５１の検出信号は発生しない。そして閉動作用打球が閉動作用球感応部材２５を押圧して回動すると、第１０図で示すように、遮光部５２が発光源４９からの光を遮断するので、フオトカプラ５１からの検出信号が発生する。
  なおフオトカプラ５１は、閉動作用打球が扉板１８上から落下すると、ウエイト４６の付勢により遮光部５２が発光源４９の光軸から外れるので、検出信号は発生しない。」（特に、第４頁右上欄第１８行〜第５頁左上欄第３行）
　　　　　　　　　　　　　　　　　　　　
（記載事項ｄ）
「  第１１図に示す適正作動判定部５３の実施例は、前記したフオトカプラ５１からの検出信号により一定間隔のパルス信号を状態信号として出力するパルス発生器５４と、該パルス発生器５４からのパルス信号をカウントし、該カウント数が基準設定器５５から送られる基準信号としての基準値を越えたときに出力を発するカウンタ５６と、該カウンタ５６からの出力をセツト信号として入力し、セツトされると不適正信号を発信するフリツプフロツプ５７などからなる。」（第５頁左上欄第４〜１３行）
　　　　　　　　　　　　　　　　　　　
（記載事項ｅ）
「  扉板１８が球入口１４を塞ぐ閉状態においては、フオトカプラ５１からの検出信号が発生しないので、パルス発信器５４は作動しない。したがつてフリツプフロツプ５７はリセツト状態を維持し、不適正信号を発信しない。また特別入賞口６に打球が入り、扉板１８が前方に傾倒した開状態においても、フオトカプラ５１は検出信号を発生しないので不適正信号は発信しない。この開状態において球入口１４に入賞した打球が閉動球通路２２に流入して閉動作用打球になると、該閉動作用打球の作用を受けて遮光部５２によりフオトカプラ５１が検出信号を発生する。フオトカプラ５１が検出信号を発生するとパルス発生器５４が始動してパルス信号をカウンタ５６に送る。そしてカウンタ５６に入つたパルス信号数が基準値に達する前に、扉板１８が閉状態に復元し、フオトカプラ５１からの検出信号が消失してパルス発生器５４の作動が停止すると、この時点においてはカウンタ５６の出力がＬレベルのまゝなので不適正信号は発生しない。なおカウンタ５６は、フオトカプラ５１からの検出信号を遅延回路５８により遅延させた信号をリセツト信号として入力するので、扉板１８の状態変換の適正、不適正を判定した後、自動的にリセツトされる。
  しかし、第１０図に示すように、ピアノ線５９等により扉板１８を不正に開き放しにした状態において球入口１４に入賞した打球が閉動作用打球になると、前記と同様に、フオトカプラ５１の検出信号が発生することによりカウンタ５６がパルス発生器５４からのパルス信号をカウントし始める。そして斯る状態においては扉板１８が戻り回動しないので、閉動作用打球が扉板１８上から落下しない。したがつてフオトカプラ５１は検出信号を発生し続け、パルス発信器５４を作動し続ける。このためカウンタ５６に、基準設定器５５で設定した基準値以上の信号が送られる。そして該カウンタ５６が基準値を越えて信号を受けると、Ｈレベル信号を出力してフリツプフロツプ５７をセツトする。フリツプフロツプ５７がセツトすると、不適正信号として出力されるＨレベル信号により遊技中断手段が作動し、パチンコ遊技を強制的に中断させる。」（特に、第５頁左上欄第２０行〜右下欄第１行）
　　　　　　　　　　　　　　　　　　　　　　　
（記載事項ｆ）
「  なお、不適正信号によりパチンコ機や中央管理室の警告灯を点灯又は点滅したり、警告ブザーを鳴らすようにしてもよい。」（第５頁右下欄第１１〜１３行）
　　　　　　　　　　　　　　　　
　これらの記載、及び、図面、並びに、
(i)「変動打球入賞装置７は、第２図乃至第７図で示すように、遊技盤２の表面に取付ける基板１３に横長な球入口１４を開設するとともに、・・・横長な球入口１４の内縁下方には可動球受部材として横長な扉板１８を水平軸１９により回動自在に軸着し」（記載事項ｂ）という記載から、変動打球入賞装置７が扉板１８を「有する」ことが明らかなこと、
(ii)「正常な状態においては、特別入賞口６から導いた打球により扉板１８を閉状態から開状態に変換し、閉動球通路２２に流入した閉動作用打球により扉板１８を開状態から閉状態に復元する。・・・そこで本発明では変動打球入賞装置７に閉動作用打球検出用の検出器を設ける」（記載事項ｃ）という記載から、検出器が、扉板１８が「正常可動状態」か「不動状態」かを「検出」することが明らかであること、
(iii)「扉板１８が開状態から閉状態に変換する所要時間は、変換動作が適正であれば、基準時間内に収まる。即ち閉動作用打球が入賞してから扉板１８が閉じるまでの時間、或いはその時間内に発信器から発信される信号数を基準値と比較することにより、扉板１８の状態変換動作の適正、不適正を判別することができる。
  そこで本発明では変動打球入賞装置７に閉動作用打球検出用の検出器を設けるとともに、該検出器からの信号にもとづく状態信号と、予め基準値を設定した基準設定器からの基準信号とにより扉板１８の適正、不適正状態を判定する適正作動判定部を設け」（記載事項ｃ）という記載及び「カウンタ５６に、基準設定器５５で設定した基準値以上の信号が送られる。そして該カウンタ５６が基準値を越えて信号を受けると、Ｈレベル信号を出力してフリツプフロツプ５７をセツトする。フリツプフロツプ５７がセツトすると、不適正信号として出力されるＨレベル信号により遊技中断手段が作動し、パチンコ遊技を強制的に中断させる。」（記載事項ｅ）という記載から、適正作動判定部が、扉板１８の不動状態が基準値「以上」「継続」したときに前記扉板１８が不適正状態であると判定することが明らかなこと、
(iv)「不適正信号によりパチンコ機や中央管理室の警告灯を点灯又は点滅したり、警告ブザーを鳴らすようにしてもよい。」（記載事項ｆ）という記載及び前記(iii)から、不適正信号により、警告灯を点灯させて不適正状態であることを「表示」することが明らかなこと、
                                     
を勘案すれば、引用例には、次の発明（以下、「引用発明」という。）が記載されていると認められる。
　　　　
「　遊技盤２に、扉板１８を有する変動打球入賞装置７が配設された構成のパチンコ機１であって、
　前記扉板１８が正常可動状態か不動状態かを検出する検出器と、
　前記扉板１８の不動状態が基準値以上継続したときに前記扉板１８が不適正状態であると判定する適正作動判定部とを備え、
　警告灯は、前記適正作動判定部により不適正状態であると判定された場合、前記扉板１８が不適正状態であることを表示するように構成されているパチンコ機１。」
　　　　           
３．対比
　そこで、本願発明と引用発明とを比較すると、引用発明のａ「遊技盤２」、ｂ「扉板１８」、ｃ「変動打球入賞装置７」、ｄ「警告灯」、ｅ「配設」、ｆ「パチンコ機１」、ｇ「検出器」、ｈ「基準値」、ｉ「不適正状態」、ｊ「適正作動判定部」は、それぞれ、本願発明のａ「遊技盤」、ｂ「可動体」、ｃ「可動体付き入賞装置」、ｄ「表示部」、ｅ「装着」、ｆ「パチンコ機」、ｇ「検出手段」、ｈ「一定時間」、ｉ「異常状態」、ｊ「判定手段」に相当する。
　　　　　　　　　　　　　　　　
　よって、両者は、
　　　　　　　　　　　　　　　
「　遊技盤に、可動体を有する可動体付き入賞装置が装着された構成のパチンコ機であって、
　前記可動体が正常可動状態か不動状態かを検出する検出手段と、
　前記可動体の不動状態が一定時間以上継続したときに前記可動体が異常状態であると判定する判定手段とを備え、
　表示部は、前記判定手段により異常状態であると判定された場合、前記可動体が異常状態であることを表示するように構成されているパチンコ機。」
　　　　　　　　　　　　　　　　　　　
である点で一致し、以下の点で相違する。
　　　　　　　　　　　　　　　
　相違点１
　本願発明では、遊技盤に、大入賞口と、始動口とが装着された構成であり、可動体を介して誘導されたパチンコ球が特定の領域を通過した後、前記始動口にパチンコ球が入賞したことを条件にして前記大入賞口が開放されるのに対して、引用発明では、そのような構成になっていない点。
　　　　　　　　　　　　　　　　　　　　　
　相違点２
　判定手段により異常状態であると判定された場合に、本願発明では、遊技盤に装着されと共に大入賞口へのパチンコ球の入賞数を表示する表示部が、入賞数表示に優先させて異常状態であることを表示するのに対して、引用発明では、表示部が単に異常状態であることを表示する点。
　　　　　　　　　　
４．判断
　上記各相違点について検討する。
　　　　　　　　　　　　　
　相違点１について
　遊技盤に、大入賞口と、始動口とを装着し、可動体を介して誘導されたパチンコ球が特定の領域を通過した後、前記始動口にパチンコ球が入賞したことを条件にして前記大入賞口が開放されるパチンコ機は周知技術（以下、「周知技術Ａ」という。）（例えば、特開平４−３３２５７５号公報（特に、段落【００３１】〜【００３３】を参照。）、特開平５−１３１０５９号公報（特に、段落【００３９】〜【００４２】）を参照。）であるから、引用発明において、前記周知技術Ａの如く、遊技盤に、大入賞口と、始動口とを装着し、可動体を介して誘導されたパチンコ球が特定の領域を通過した後、前記始動口にパチンコ球が入賞したことを条件にして前記大入賞口が開放されるようにして相違点１に係る本願発明の如く構成することは、当業者が容易に想到できることである。
　　　　　　　　　　　　　
　相違点２について
　パチンコ機において、表示部が、遊技盤に装着されると共に大入賞口へのパチンコ球の入賞数を表示することは周知技術（以下、「周知技術Ｂ」という。）（例えば、特開平５−１３１０５９号公報（特に、段落【００２０】参照。）、特開平４−４０９７８号公報（特に、第３頁右下欄第８〜１０行を参照。）参照）である。また、一般の技術分野において、表示部が、他の表示をすると共に、異常時には他の表示に優先して異常状態であることを表示することは周知技術（以下、「周知技術Ｃ」という。）（例えば、特開昭６３−９８８９０号公報（特に、第２頁右上欄第７〜１１行、第２頁右下欄第１８〜１９行、第４頁右下欄第４〜６行、第２図を参照。）、特開昭６３−８４９７５号公報（特に、第２頁右下欄第１３〜１４行、第３頁左下欄第１１〜１４行、第１図）、特公平４−２６７４７号公報（特に、第４頁左欄第４〜２６行、第１図（B）を参照。）を参照。）であるし、パチンコ機を含む遊技機の技術分野においても、表示部が、他の表示をすると共に、異常時には他の表示に優先して異常状態であることを表示することは周知技術（以下、「周知技術Ｄ」という。）（例えば、実願平３−３３３８８号（実開平４−１２０７９２号）のマイクロフィルム（特に、段落【００１２】〜【００１７】を参照。）、特開平４−２９７２９０号公報（特に、段落【００３３】、第１図を参照。）を参照。）である。よって、引用発明において、表示部を、前記周知技術Ｂの如く遊技盤に装着すると共に大入賞口へのパチンコ球の入賞数を表示するものとすること、及び、その表示の際に、前記周知技術Ｃ又はＤの如く他の表示である入賞数表示に優先して異常状態であることを表示するようにする設計変更を加味して相違点２に係る本願発明の如く構成することは、当業者が容易に想到できることである。
　　　　
５．本願発明の作用効果について
　本願発明の奏する効果は、引用発明に前記周知技術Ａ〜Ｄを適用したものから当業者が容易に予測し得るものであって、格別顕著なものではない。
　　　
６．むすび
　以上のとおり、本願発明は、引用発明、及び周知技術Ａ〜Ｄに基づいて当業者が容易に発明をすることができたものであるから、特許法第２９条第２項の規定により特許を受けることができない。
　したがって、本願は拒絶をすべきものである。　　
　よって、結論のとおり審決する。